(57)【要約】【課題】  外気温度が変動した場合であっても、暖房対象空間の温度が快適な温度領域に収まる状態で暖房運転を行うことが可能となる熱媒供給式の暖房設備を提供する。【解決手段】  加熱した熱媒を熱媒循環路１を通して暖房端末２に供給する熱源手段３と、熱媒循環路１を開閉して熱媒の供給を断続する開閉手段４と、熱源手段３の運転及び開閉手段４の開閉作動を制御する制御手段５とが設けられ、暖房対象空間内の温度と目標設定温度との温度差に応じて開閉手段４の目標開閉比率を求めて開閉作動制御を実行するように構成され、温度差が同じであるときの目標開閉比率における開時間の割合が外気温度が高いほど小になるように目標開閉比率を求めるように構成されている。【選択図】        図１
2005282899.tif 000002
【特許請求の範囲】
【請求項１】
加熱した熱媒を熱媒循環路を通して暖房端末に供給する熱源手段と、前記熱媒循環路を開閉して熱媒の供給を断続する開閉手段と、前記熱源手段の運転及び前記開閉手段の開閉作動を制御する制御手段とが設けられ、
前記制御手段は、
前記暖房対象空間内の温度と目標設定温度との温度差に応じて、前記開閉手段を開状態に維持する開時間と前記開閉手段を閉状態に維持する閉時間との目標開閉比率を求めて、単一周期における開閉比率が前記目標開閉比率になるように調整する形態で、前記開閉手段の開閉作動を周期的に繰り返し行う開閉作動制御を実行するように構成されている熱媒供給式の暖房設備であって、
外気温度を検出する外気温度検出手段が備えられ、
前記制御手段が、
前記開閉作動制御において、前記温度差が同じであるときの前記目標開閉比率における前記開時間の割合が前記外気温度検出手段にて検出される前記外気温度が高いほど小になるように、前記目標開閉比率を求めるように構成されている熱媒供給式の暖房設備。
【請求項２】
加熱した熱媒を熱媒循環路を通して暖房端末に供給する熱源手段と、前記熱媒循環路を開閉して熱媒の供給を断続する開閉手段と、前記熱源手段の運転及び前記開閉手段の開閉作動を制御する制御手段とが設けられ、
前記制御手段は、
前記暖房対象空間内の温度と目標設定温度との温度差に応じて、前記開閉手段を開状態に維持する開時間と前記開閉手段を閉状態に維持する閉時間との目標開閉比率を求めて、単一周期における開閉比率が求めた目標開閉比率になるように調整する形態で、前記開閉手段の開閉作動を周期的に繰り返し行う開閉作動制御を実行するように構成されている熱媒供給式の暖房設備であって、
外気温度を検出する外気温度検出手段が備えられ、
前記制御手段が、
前記暖房端末に対して前記熱媒を供給する暖房運転を開始したときに、前記暖房運転を開始してから急速昇温用の設定時間が経過するまでの間、定常運転用の温度よりも高い急速昇温用の温度の熱媒を循環供給させる急速昇温制御を実行した後に、前記開閉作動制御を実行するように構成され、且つ、
前記急速昇温制御において、前記外気温度が高いほど前記急速昇温用の設定時間を短い時間に設定する、又は、前記外気温度が高いほど前記急速昇温用の温度を低い温度に設定するように構成されている熱媒供給式の暖房設備。
【請求項３】
前記制御手段が、
前記外気温度検出手段にて検出される外気温度が凍結予防用の設定温度以下になると、前記暖房端末に対して前記熱媒を循環させて前記熱媒循環路における前記熱媒の凍結を予防する凍結予防運転制御を実行するように構成されている請求項１又は２記載の熱媒供給式の暖房設備。
【発明の詳細な説明】
【技術分野】
【０００１】
本発明は、加熱した熱媒を熱媒循環路を通して暖房端末に供給する熱源手段と、前記熱媒循環路を開閉して熱媒の供給を断続する開閉手段と、前記熱源手段の運転及び前記開閉手段の開閉作動を制御する制御手段とが設けられ、前記制御手段は、前記暖房対象空間内の温度と目標設定温度との温度差に応じて、前記開閉手段を開状態に維持する開時間と前記開閉手段を閉状態に維持する閉時間との目標開閉比率を求めて、単一周期における開閉比率が前記目標開閉比率になるように調整する形態で、前記開閉手段の開閉作動を周期的に繰り返し行う開閉作動制御を実行するように構成されている熱媒供給式の暖房設備に関する。
【背景技術】
【０００２】
上記のような熱媒供給式の暖房設備は、制御手段が、暖房対象空間内の室温や床温と目標設定温度との温度差に応じて目標開閉比率を求めて、単一周期における開閉比率が求めた目標開閉比率になるように調整する形態で、開閉手段の開閉作動を周期的に繰り返し行う開閉作動制御を実行することにより、暖房対象空間内の室温や床温が目標設定温度になるように暖房対象空間を暖房するものである。
【０００３】
そして、従来では、前記開閉作動制御において、熱源手段から一定温度（６０℃）の熱媒を熱媒循環路を通して前記暖房端末に循環供給させるようにして、熱媒循環路に設けられた開閉手段としての開閉式の制御弁を予め定めた相関テーブルにて求められる目標開閉比率になるように作動を制御する構成となっていた。説明を加えると、前記単一周期を例えば２０分間として、暖房対象空間内の温度と目標設定温度との温度差に対応する前記目標開閉比率が、予め一定の相関関係を有する相関テーブルとして定められて、制御手段が、暖房対象空間内の温度と目標設定温度との温度差と、この相関テーブルとに基づいて目標開閉比率を設定するように構成されていた（例えば、特許文献１参照。）。
【０００４】
又、従来では、前記暖房端末に対して前記熱媒を供給する暖房運転を開始したときに、前記暖房運転を開始してから急速昇温用の設定時間が経過するまでの間、定常運転用の温度よりも高い急速昇温用の温度の熱媒を循環供給させる急速昇温制御を実行する構成となっているが、急速昇温用の設定時間は予め設定された一定の時間（６０分間）に設定されており、熱媒の急速昇温用の温度は一定の温度（８０℃）に設定されていた（例えば、特許文献１参照。）。
【０００５】
【特許文献１】特開２０００−１２１０７９号公報
【発明の開示】
【発明が解決しようとする課題】
【０００６】
上記従来構成は、例えば、開閉作動制御を実行する定常運転状態においては、外気温度が基準となる温度（例えば、５℃）であるときに暖房対象空間の温度が快適な温度領域に収まるように温度調整を行うことが可能なように設定されたものである。又、急速昇温制御を実行する暖房運転の開始時においても同様に、外気温度が基準となる温度であるときに暖房対象空間の温度が出来るだけ短時間で快適な温度領域になるように設定されたものである。
【０００７】
このように従来構成においては、外気温度が上記したような基準となる温度であるときに快適な温度で暖房を行えるように、予め一定の相関関係を有する相関テーブルに基づいて、前記開閉作動制御における目標開閉比率を求める構成となっていることから次のような不利な点があった。
【０００８】
すなわち、外気温度が上記したような基準となる温度に近い温度であれば、暖房対象空間の温度が快適な温度領域に収まるように温度調整されることになるが、外気温度が、基準の温度よりも高い温度、例えば、１５℃を越えるような高い温度になると、暖房端末に供給される熱量が同じであっても暖房対象空間から外部に逃げる熱量が基準の温度の場合に比べて少ないものとなるから、上記したような従来構成による目標開閉比率にて開閉作動制御を実行すると、暖房端末に供給される熱量が大となり熱媒を循環供給しているときの温度の上昇率が大きくなり、暖房対象空間の温度が高温側にオーバーシュートして目標としている温度よりも高い温度になることを繰り返すことがあり、快適な温度領域といわれている温度領域を高温側に逸脱してしまい、快適性が損なわれるおそれがある。
【０００９】
具体例に基づいて説明を加えると、図７に、暖房端末として床暖房装置を対象とした場合において一般的に快適な温度領域といわれている温度領域（図に１点鎖線で囲む領域）を示している。室温は１８℃〜２３℃の範囲内にあり、床表面温度が２５℃〜３１℃の範囲が快適な温度領域になっている。そして、外気温度が５℃にあるときに目標設定温度を変更させて上記従来構成による温度調整を行ったときの本出願人による計測結果をラインＬ１で示している。この図からラインＬ１は快適な温度領域に収まっていることが分かる。そして、ラインＬ２には、外気温度が１０℃であるときの計測結果を示し、又、ラインＬ３には、外気温度が１５℃であるときの計測結果を示している。これらのラインでは快適な温度領域から高温側に逸脱しており、外気温度が基準の温度よりも高い温度になると、暖房対象空間の温度が快適な温度領域から高温側に逸脱して快適性が損なわれるおそれがあるのである。
【００１０】
又、従来では、急速昇温制御を実行するときにおいて、外気温度が上記したような基準となる温度であるときに快適な温度で暖房を行えるように、急速昇温用の設定時間は予め設定された一定の時間に設定されており、熱媒の急速昇温用の温度は一定の温度に設定されているものであるから、次のような不利な点があった。
【００１１】
すなわち、外気温度が、基準の温度よりも高い温度になると、暖房端末に供給される熱量が同じであっても暖房対象空間から外部に逃げる熱量が基準の温度の場合に比べて少ないものとなるから、急速昇温制御を実行するときの熱媒の急速昇温用の温度や急速昇温用の設定時間として、上記した従来構成のように基準の温度に基づいて設定された一定の熱媒温度及び一定の時間にて制御を実行すると、暖房端末に供給される熱量が大となり熱媒を循環供給しているときの温度の上昇率が大きくなり、暖房対象空間の温度が高温側にオーバーシュートして目標としている温度よりも高い温度になることがあり、快適な温度領域と言われている温度領域を高温側に逸脱してしまい、快適性が損なわれるおそれがある。
【００１２】
本発明の目的は、外気温度が変動した場合であっても、暖房対象空間の温度が快適な温度領域に収まる状態で暖房運転を行うことが可能となる熱媒供給式の暖房設備を提供する点にある。
【課題を解決するための手段】
【００１３】
本発明の第１特徴構成は、加熱した熱媒を熱媒循環路を通して暖房端末に供給する熱源手段と、前記熱媒循環路を開閉して熱媒の供給を断続する開閉手段と、前記熱源手段の運転及び前記開閉手段の開閉作動を制御する制御手段とが設けられ、
前記制御手段は、
前記暖房対象空間内の温度と目標設定温度との温度差に応じて、前記開閉手段を開状態に維持する開時間と前記開閉手段を閉状態に維持する閉時間との目標開閉比率を求めて、単一周期における開閉比率が前記目標開閉比率になるように調整する形態で、前記開閉手段の開閉作動を周期的に繰り返し行う開閉作動制御を実行するように構成されている熱媒供給式の暖房設備であって、
外気温度を検出する外気温度検出手段が備えられ、
前記制御手段が、
前記開閉作動制御において、前記温度差が同じであるときの前記目標開閉比率における前記開時間の割合が前記外気温度検出手段にて検出される前記外気温度が高いほど小になるように、前記目標開閉比率を求めるように構成されている点にある。
【００１４】
第１特徴構成によれば、外気温度検出手段によって外気温度が検出され、その外気温度検出手段にて検出される外気温度の情報は前記目標開閉比率を求めるときの情報として使用される。つまり、制御手段は、前記開閉作動制御において、暖房対象空間内の温度と目標設定温度との温度差に応じて、開閉手段を開状態に維持する開時間と前記開閉手段を閉状態に維持する閉時間との目標開閉比率を求めるにあたって、前記温度差が同じであるときの前記目標開閉比率における開時間の割合が外気温度が高いほど小になるように目標開閉比率を求め、単一周期における開閉比率が目標開閉比率になるように調整する形態で、開閉手段の開閉作動を周期的に繰り返し行うことになる。
【００１５】
すなわち、開閉作動制御を実行するときには、外気温度が高いほど、前記温度差が同じであるときの目標開閉比率における開時間の割合が小となるものであるから、外気温度が低いときは前記開時間の割合が大きく暖房端末に供給される熱量は多くなり、暖房対象空間内を暖房するのに必要な熱量を供給することができて、暖房対象空間内の温度が快適な温度領域に収まるように暖房を行うことができる。そして、外気温度が高いときには、前記開時間の割合が小さくなり熱媒が循環供給されることにより暖房端末に供給される熱量は少ない量に抑制されることになるから、熱媒が循環供給しているときの暖房対象空間内の温度の上昇率はそれほど大きくならず、暖房対象空間の温度が高温側にオーバーシュートして目標としている温度よりも高い温度になることを回避させることができ、暖房対象空間の温度を快適な温度領域に収めることが可能となる。
【００１６】
例えば、外気温度が基準となる温度において暖房対象空間の温度が快適な温度領域に収まるように基準となる目標開閉比率が設定されている場合において、外気温度が基準となる温度よりも高い温度である場合には、前記基準となる目標開閉比率における前記開時間の割合よりも小になるように目標開閉比率を求める構成とし、外気温度が基準となる温度よりも低い温度である場合には、前記基準となる目標開閉比率における前記開時間の割合よりも大になるように目標開閉比率を求める構成とすることで、外気温度が変化しても暖房対象空間の温度が快適な温度領域に収まるように温度調整を行うことが可能となる。
【００１７】
従って、外気温度が変動した場合であっても、暖房対象空間の温度が快適な温度領域に収まる状態で暖房運転を行うことが可能となる熱媒供給式の暖房設備を提供できるに至った。
【００１８】
本発明の第２特徴構成は、加熱した熱媒を熱媒循環路を通して暖房端末に供給する熱源手段と、前記熱媒循環路を開閉して熱媒の供給を断続する開閉手段と、前記熱源手段の運転及び前記開閉手段の開閉作動を制御する制御手段とが設けられ、
前記制御手段は、
前記暖房対象空間内の温度と目標設定温度との温度差に応じて、前記開閉手段を開状態に維持する開時間と前記開閉手段を閉状態に維持する閉時間との目標開閉比率を求めて、単一周期における開閉比率が求めた目標開閉比率になるように調整する形態で、前記開閉手段の開閉作動を周期的に繰り返し行う開閉作動制御を実行するように構成されている熱媒供給式の暖房設備であって、
外気温度を検出する外気温度検出手段が備えられ、
前記制御手段が、
前記暖房端末に対して前記熱媒を供給する暖房運転を開始したときに、前記暖房運転を開始してから急速昇温用の設定時間が経過するまでの間、定常運転用の温度よりも高い急速昇温用の温度の熱媒を循環供給させる急速昇温制御を実行した後に、前記開閉作動制御を実行するように構成され、且つ、
前記急速昇温制御において、前記外気温度が高いほど前記急速昇温用の設定時間を短い時間に設定する、又は、前記外気温度が高いほど前記急速昇温用の温度を低い温度に設定するように構成されている点にある。
【００１９】
第２特徴構成によれば、外気温度検出手段によって外気温度が検出され、その外気温度検出手段にて検出される外気温度の情報は、前記急速昇温用の設定時間、又は、熱媒の急速昇温用の温度を求めるときの情報として使用される。つまり、制御手段は、前記急速昇温制御を実行するにあたって、前記外気温度が高いほど前記急速昇温用の設定時間を短い時間に設定する、又は、前記外気温度が高いほど熱媒の急速昇温用の温度を低い温度に設定するのである。そして、制御手段は、前記暖房端末に対して熱媒を供給する暖房運転を開始したときに、前記急速昇温制御を実行するときには、暖房運転を開始してから前記急速昇温用の設定時間が経過するまでの間、前記熱媒の急速昇温用の温度の熱媒を循環供給させるのである。
【００２０】
すなわち、急速昇温制御を実行するときには、外気温度が低いときは、前記急速昇温用の設定時間を長い時間に設定する、又は、熱媒の急速昇温用の温度を高い温度に設定するので、熱媒の温度が同じであっても熱媒を暖房端末に循環供給させる時間が長くなるか、又は、熱媒を暖房端末に循環供給させる時間が同じであっても熱媒の温度を高い温度にさせることになり、それだけ暖房端末に供給される熱量は多くなり、暖房対象空間内を暖房するのに必要な熱量を供給することができて、暖房対象空間内の温度が快適な温度領域に収まるように暖房を行うことができる。
【００２１】
そして、外気温度が高いときには、前記急速昇温用の設定時間を短い時間に設定する、又は、熱媒の急速昇温用の温度を低い温度に設定するので、熱媒の温度が同じであっても熱媒を暖房端末に循環供給させる時間が短くなるか、又は、熱媒を暖房端末に循環供給させる時間が同じであっても熱媒の温度を低い温度にさせるので、暖房端末に供給される熱量は少ない量に抑制されることになるから、熱媒が循環供給しているときの暖房対象空間内の温度の上昇率はそれほど大きくならず、暖房対象空間の温度が高温側にオーバーシュートして目標としている温度よりも高い温度になることを回避させることができ、暖房対象空間の温度を快適な温度領域に収めることが可能となる。
【００２２】
従って、外気温度が変動した場合であっても、暖房対象空間の温度が快適な温度領域に収まる状態で暖房運転を行うことが可能となる熱媒供給式の暖房設備を提供できるに至った。
【００２３】
本発明の第３特徴構成は、第１特徴構成又は第２特徴構成に加えて、前記制御手段が、
前記外気温度検出手段にて検出される外気温度が凍結予防用の設定温度以下になると、前記暖房端末に対して前記熱媒を循環させて前記熱媒循環路における前記熱媒の凍結を予防する凍結予防運転制御を実行するように構成されている点にある。
【００２４】
第３特徴構成によれば、前記外気温度検出手段にて検出される外気温度が凍結予防用の設定温度以下になると、凍結予防運転制御を実行するように構成されているから、熱媒循環路における前記熱媒の凍結を予防して熱媒の凍結による部材が損傷する等の不利を未然に回避させることができ、しかも、前記開閉作動制御又は前記急速昇温制御における制御用のパラメータとして用いる外気温度の検出を行うための外気温度検出手段を、凍結予防用の設定温度であるか否かを検出するための検出手段に兼用する構成としているので、外気温度を検出する温度検出手段と凍結予防用の温度検出手段とを各別に設けるものに比べて、構成の簡素化を図れるものとなり、特徴構成１又は特徴構成２を実施するのに好適な手段が得られる。
【発明を実施するための最良の形態】
【００２５】
本発明にかかる熱媒供給式の暖房設備を図面に基づいて説明する。
図１に示すように、熱媒供給式の暖房設備は、床暖房装置などの暖房端末２、その暖房端末２に加熱した熱媒を熱媒循環路１を通して供給する熱源手段としての熱源機３、熱媒循環路１を開閉する開閉手段としての熱動弁４、熱源機３の運転および熱動弁４の開閉作動を制御する制御手段としての制御部５、その制御部５と通信自在なリモコン６等を備えて構成されている。そして、暖房端末２およびリモコン６は、リビングや和室等の暖房対象空間Ｋに対応して配設され、リモコン６には、暖房対象空間Ｋ内の室温を検出する室温センサ１７が内蔵されている。
【００２６】
前記熱源機３は、暖房端末２に供給する熱媒の熱媒供給温度を切換自在に構成され、熱媒循環路１の往き側流路１ａおよび戻り側流路１ｂの夫々に接続された熱源機内流路１８の途中に、熱源機内流路１８における熱媒を貯留するシスターン７、暖房端末２に熱媒を循環供給させるための循環ポンプ８、熱源機内流路１８を通流する熱媒をバーナ９の燃焼により加熱させる熱交換器１０等を設けて、バーナ９に燃焼用空気を供給するファン１１等を備えて構成されている。
そして、バーナ９に燃料ガスを供給する燃料供給路１２には、燃料ガスの供給を断続する燃料ガス開閉弁１３、燃料ガス供給量を調整する燃料ガス調整弁１４が設けられ、バーナ９に点火するイグナイタ１５およびバーナ９の着火を確認するフレームロッド１６等も設けられている。
【００２７】
前記熱源機内流路１８におけるシスターン７よりも熱媒循環方向の上流側には、その熱媒の温度を検出する戻りサーミスタ１９が設けられ、熱源機内流路１８における熱交換器１０よりも熱媒循環方向の下流側には、その熱媒の温度を検出する往きサーミスタ２０が設けられ、熱媒循環路１の往き側流路１ａには、熱動弁４が設けられている。そして、熱源機３の運転中においてこの熱動弁４を開閉することにより、暖房端末２への熱媒の供給を断続するように構成されている。
【００２８】
前記熱源機３の内部には、熱源機３内部の雰囲気温度を外気温度として検出する外気温度検出手段としての外気温サーミスタ２１が設けられ、この外気温サーミスタ２１の検出情報は制御部５に入力される構成となっている。そして、前記制御部５は、この外気温サーミスタ２１にて検出される外気温度が凍結予防用の設定温度以下になると、暖房端末に対して熱媒を設定時間が経過する間だけ循環させて熱媒循環路１における熱媒の凍結を予防する凍結予防運転制御を実行するように構成されている。
【００２９】
前記制御部５とリモコン６とは、熱源機３の運転開始や運転停止等の指令情報や、リモコン６にて設定される目標設定温度および室温センサ１７による室温等の温度情報を通信自在に構成されている。ちなみに、目標設定温度は、例えば、１６℃〜２８℃の間で２℃刻みに７段階に設定可能に構成されている。
【００３０】
前記制御部５は、リモコン６から熱源機３の運転開始が指令されると、熱源機３の運転を開始させ、リモコン６から熱源機３の運転停止が指令されると、熱源機３の運転を停止させるように構成されている。
【００３１】
前記熱源機３の運転開始および運転停止における制御部５の制御動作について説明を加えると、前記制御部５は、リモコン６から暖房運転の開始を指令する制御情報を受信すると、ファン１１を作動させて、燃料ガス開閉弁１３および燃料ガス調整弁１４を開弁させてバーナ９の燃焼を開始するとともに、循環ポンプ８を作動させて、熱源機３の運転を開始するようにしている。また、制御部５は、リモコン６から暖房運転の熱源機３の運転停止を指令する制御情報を受信すると、燃料ガス開閉弁１３および燃料ガス調整弁１４を閉弁させてバーナ９の燃焼を停止したのち、ファン１１の作動を停止させるとともに、循環ポンプ８の作動を停止させて、熱源機３の運転を停止するようにしている。
【００３２】
そして、制御部５は、暖房端末２に対して熱媒を供給する暖房運転を開始したときに、暖房運転を開始してから急速昇温用の設定時間が経過するまでの間、定常運転用の温度よりも高い急速昇温用の温度の熱媒を循環供給させる急速昇温制御を行うホットダッシュ運転を実行し、そのホットダッシュ運転を終了した後の定常運転においては、暖房対象空間内の温度と目標設定温度との温度差に応じて、熱動弁４を開状態に維持する開時間と熱動弁を閉状態に維持する閉時間との目標開閉比率を求めて、単一周期における開閉比率が前記目標開閉比率になるように調整する形態で、熱動弁４の開閉作動を周期的に繰り返し行う開閉作動制御を実行するように構成されている。
【００３３】
前記ホットダッシュ運転における制御部５の制御動作について説明を加える。
前記制御部５は、戻りサーミスタ１９および往きサーミスタ２０の検出情報に基づいて、往きサーミスタ２０の検出温度（熱媒の温度）が急速昇温用の温度（７２℃）になるように、燃料ガス調整弁１４の開度およびファン１１の回転速度を調整するとともに、後述するように設定される急速昇温用の設定時間が経過する間、熱動弁４を開状態に維持するように構成されている。尚、急速昇温用の温度は、定常運転用の温度よりも高い温度であればよく、７２℃に限定されるものではない。
【００３４】
そして、制御部５は、前記急速昇温制御において、前記外気温サーミスタ２１によって検出される外気温度が高いほどホットダッシュ運転を実行する急速昇温用の設定時間ｔｈを短い時間に設定するように構成されている。具体的には、外気温度が１０℃未満のときは急速昇温用の設定時間ｔｈとして６０分が設定され、外気温度が１０℃以上１５℃未満のときは急速昇温用の設定時間ｔｈとして３０分が設定され、外気温度が１５℃以上のときは急速昇温用の設定時間ｔｈとして０分が設定される。
【００３５】
前記定常運転における制御部５の制御動作について説明を加える。
制御部５は、戻りサーミスタ１９および往きサーミスタ２０の検出情報に基づいて、循環供給される熱媒の温度が定常運転用の設定温度（６０℃）になるように、燃料ガス調整弁１４の開度およびファン１１の回転速度を調整するとともに、暖房対象空間内の温度としての室温センサ１７による室温とリモコン６による目標設定温度との温度差に応じて、熱動弁４を開状態に維持する開時間と熱動弁４を閉状態に維持する閉時間との目標開閉比率を求めて、単一周期における開閉比率が、目標開閉比率になるように調整する形態で、熱動弁４の開閉作動を周期的に繰り返し行う開閉作動制御を実行するように構成されている。
【００３６】
前記開閉作動制御について説明を加えると、制御部５は、単一周期を２０分として、その単一周期が経過するごとに、次の単一周期において開時間が何分で閉時間が何分であるかの目標開閉比率を求める目標開閉比率演算処理を実行して、次の単一周期における開閉比率が求めた目標開閉比率になるように、熱動弁４の開閉作動を周期的に繰り返し行うようにしている。例えば、目標開閉比率演算処理にて求めた目標開閉比率が、開時間が１４分で閉時間が６分であると、まず、熱動弁４を開状態に１４分間維持したのち、熱動弁４を閉状態に６分間維持する。
【００３７】
制御部５は、前記開閉作動制御の目標開閉比率演算処理において、室温センサ１７による室温とリモコン６による目標設定温度との温度差が同じであるときの前記目標開閉比率における前記開時間の割合が外気温サーミスタ２１にて検出される外気温度が高いほど小になるように、前記目標開閉比率を求めるように構成されている。
【００３８】
説明を加えると、制御部５には、図２に示すように、外気温度が１０℃以下の低い温度であるときの運転状態として、リモコン６による目標設定温度Ｔ１から室温センサ１７による室温Ｔ２を引いた温度差ΔＴの設定範囲ごとに開時間と閉時間との開閉比率が定められている基準テーブルが基準用開閉比率として記憶されている。
そして、制御部５は、外気温サーミスタ２１にて検出される外気温度に応じて、温度差ΔＴと開閉比率との対応関係の一部で温度差ΔＴが同じであるときの開閉比率が外気温度に応じて異なる値となるように、温度差ΔＴと開閉比率との対応関係を設定量だけステップがずれるようにして、外気温度に対応する調整テーブルを作り、その作成された調整テーブルにおいて、温度差ΔＴに応じて目標開閉比率を求めるようにしている。
【００３９】
外気温度の具体例を挙げて目標開閉比率を求める構成について説明する。
例えば、外気温度が１０℃以上１５℃未満であるときには、図２における基準テーブルにおける温度差ΔＴと開閉比率との対応関係を、温度差ΔＴに対して開閉比率が２ステップだけ上にずれるようにして、図２における基準テーブルを図３に示す調整テーブルに調整して外気温度に対応するテーブルを作る。そして、図３に示す調整テーブルにおいて、リモコン６による目標設定温度Ｔ１から室温センサ１７による室温Ｔ２を引いた温度差ΔＴに応じて、目標開閉比率を求める。例えば、温度差ΔＴが０．２〜０．０では、開時間が６分で閉時間が１４分の目標開閉比率となる。
【００４０】
また、外気温度が１５℃以上であるときには、図２における基準テーブルにおける温度差ΔＴと開閉比率との対応関係を、温度差ΔＴに対して開閉比率が４ステップだけ上にずれるようにして、図２における基準テーブルを図４に示す調整テーブルに調整して、外気温度に対応するテーブルを作る。そして、図４に示す調整テーブルにおいて、リモコン６による目標設定温度Ｔ１から室温センサ１７による室温Ｔ２を引いた温度差ΔＴに応じて、目標開閉比率を求めることになる。例えば、温度差ΔＴが０．２〜０．０では、開時間が２分で閉時間が１８分の目標開閉比率となる。
【００４１】
ちなみに、外気温度が１０℃未満のときには、図２における基準テーブルにおける温度差ΔＴと開閉比率との対応関係をそのまま利用して、図２に示すテーブルにおいて、リモコン６による目標設定温度Ｔ１から室温センサ１７による室温Ｔ２を引いた温度差ΔＴに応じて、目標開閉比率を求める。
【００４２】
次に、前記制御部５の制御動作について、図５のフローチャートに基づいて説明を加える。
まず、外気温サーミスタ２１にて検出される外気温度Ｔｇが、凍結予防用の設定温度Ｔｔ（４℃）以下になると前記凍結予防運転制御を実行する（ステップ１、２）。この凍結予防運転制御では、バーナ９は燃焼させない状態で循環ポンプ８を作動させて暖房端末２に対して熱媒を循環させ、予め設定されている凍結予防運転時間が経過すると熱媒の循環を停止させる。このようにして熱媒の凍結を予防するようにしている。
【００４３】
前記凍結予防運転制御を実行しない状態でリモコン６から暖房運転指令があれば、外気温サーミスタ２１にて検出される外気温度Ｔｇに応じて、ホットダッシュ運転を実行する急速昇温用の設定時間ｔｈを変更設定する。つまり、外気温度Ｔｇが１０℃未満のときは急速昇温用の設定時間ｔｈとして６０分を設定し、外気温度Ｔｇが１０℃以上１５℃未満のときは急速昇温用の設定時間ｔｈとして３０分を設定し、外気温度Ｔｇが１５℃以上のときは急速昇温用の設定時間ｔｈとして０分を設定する（ステップ４〜８）。
【００４４】
そして、前記ホットダッシュ運転を開始する（ステップ９）。説明を加えると、熱源機３の運転を開始して、熱源機３から暖房端末２に供給する熱媒の温度が急速昇温用の温度（７２℃）になるように熱源機３の運転を制御し、熱媒の循環供給を開始してからの経過時間ｔｘが上述したようにして設定された急速昇温用の設定時間ｔｈに達すると、ホットダッシュ運転を終了する（ステップ１０）。
【００４５】
ホットダッシュ運転を終了すると、定常運転に移行して、上述したような目標開閉比率演算処理を実行して外気温度Ｔｇに対応する状態で目標開閉比率を求める（ステップ１２）。つまり、上述したように外気温度Ｔｇに応じて図２〜図４のうちのいずれかのテーブルを用いて目標開閉比率を求めることになる。前記目標開閉比率演算処理にて求めた目標開閉比率が、例えば、開時間が１４分で閉時間が６分であれば、熱動弁４を開状態に１４分間維持したのちに熱動弁４を閉状態に６分間維持する等、単一周期における開閉比率が目標開閉比率演算処理にて求めた目標開閉比率になるように、熱動弁４の開閉作動を行うことになる（ステップ１３）。ホットダッシュ運転中や定常運転中に、リモコン６から暖房運転の要求指令が無くなると、その運転中のホットダッシュ運転や定常運転を終了させる（ステップ１１，１４）。又、暖房運転を開始してから設定時間（例えば、５時間）以上経過すると、運転開始時に比べて外気温度Ｔｇが変動しているおそれもあるので、前記目標開閉比率演算処理を実行して外気温度Ｔｇに対応する状態で目標開閉比率を再設定するようにしている（ステップ１５）。
【００４６】
尚、暖房運転を長時間行った後に、一旦、リモコン６における暖房運転の指令が停止してその後直ぐに暖房運転の指令が再度指令されたような場合には、ホットダッシュ運転を実行すると、温度が上昇し過ぎるおそれがあるので、運転開始の指令があったときに、室温センサ１７の検出値と目標設定温度との温度差が設定値より小さいときには、ホットダッシュ運転を実行しないように構成してもよい。
【００４７】
そして、上記したような開閉作動制御を実行することによって、図６に示すように、暖房対象空間の室温と床表面温度が快適な温度領域（１点鎖線で囲む領域）内に収まる状態で暖房運転を行うことが可能となるのである。ちなみに、この図６のラインＬ１’で示すものは外気温度が５℃であるとき目標設定温度を種々変化させたときの室温と床表面温度の変化を示しており、ラインＬ２’は、外気温度が１０℃であるときの室温と床表面温度の変化を示している。そして、ラインＬ３’は、外気温度が１５℃であるときの室温と床表面温度の変化を示している。
【００４８】
〔別実施形態〕
以下、別実施形態を列記する。
【００４９】
（１）上記実施形態では、前記急速昇温制御において、外気温度Ｔｇが１０℃未満のときは急速昇温用の設定時間ｔｈとして６０分が設定され、外気温度Ｔｇが１０℃以上１５℃未満のときは急速昇温用の設定時間ｔｈとして３０分が設定され、外気温度Ｔｇが１５℃以上のときは急速昇温用の設定時間ｔｈとして０分が設定される構成としたが、このような構成に代えて、次のように構成してもよい。
【００５０】
例えば、上記構成に加えて、外気温度が１０℃よりも低い設定温度（例えば５℃）以下に低下すると、急速昇温用の設定時間ｔｈとして６０分よりも長い時間を設定するようにしてもよく、又、前記外気温度が高いほど前記急速昇温用の設定時間を短い時間に設定する構成としては、前記急速昇温用の設定時間を段階的な時間にて切り替えるのではなく、外気温度の変化に応じて連続的に変化する状態で変更設定するものでもよい。
【００５１】
（２）上記実施形態では、前記急速昇温制御において、前記外気温度Ｔｇが高いほど前記急速昇温用の設定時間ｔｈを短い時間に設定する構成としたが、このような構成に代えて、前記急速昇温制御において、前記外気温度Ｔｇが高いほど熱媒の急速昇温用の温度を低い温度に設定するように構成するものでもよい。例えば、外気温度Ｔｇが１０℃未満のときは熱媒の急速昇温用の温度を７２℃に設定し、外気温度Ｔｇが１０℃以上１５℃未満のときは熱媒の急速昇温用の温度を７２℃よりも低い中間温度（例えば６５℃）に設定し、外気温度Ｔｇが１５℃以上のときは熱媒の急速昇温用の温度を中間温度よりも低い温度（例えば６０℃）に設定する等、外気温度Ｔｇが高いほど熱媒の温度を低い温度にさせることで、暖房端末に供給する熱量を少なくさせるのである。
【００５２】
又、このように外気温度Ｔｇを３段階の領域に分ける構成ではなく、４段階以上に分けるようにしたり、又は、外気温度の変化に応じて無段階に前記急速昇温用の設定時間や熱媒の急速昇温用の温度を変更させる構成としてもよい。
【００５３】
（３）上記実施形態では、前記開閉作動制御において、外気温度が１０℃未満の場合に適用するものとして、前記暖房対象空間内の温度と目標設定温度との温度差ΔＴの設定範囲ごとに開閉比率を定めた基準テーブルを設定しておき、外気温度が１０℃以上１５℃未満の場合、及び、外気温度が１５℃以上の場合の夫々について、前記温度差ΔＴが同じであるときの目標開閉比率における開時間の割合が外気温度が高いほど小になるように基準テーブルを変更した調整テーブルを作成し、その作成した調整テーブルに基づいて前記温度差ΔＴに応じて目標開閉比率を求める構成としているが、このような構成に代えて次のように構成してもよい。
【００５４】
例えば、外気温度が設定温度領域（例えば５℃〜１０℃）の場合に適用するものとして、上記実施形態における基準テーブルと同様な基準テーブルを設定しておき、外気温度が設定温度領域内にある場合にはその基準テーブルを用いて目標開閉比率を求める構成とするが、外気温度が設定温度よりも低くなると、前記温度差ΔＴが同じであるときの目標開閉比率における開時間の割合が外気温度が高いほど小になるように、言い換えると、外気温度が低いほど大になるように、前記基準テーブルを変更した調整テーブルを作成し、その作成した調整テーブルに基づいて目標開閉比率を求める構成としてもよい。そのとき、外気温度が設定温度領域よりも高い場合には、前記基準テーブルを適用するようにしてもよく、あるいは、外気温度が設定温度領域よりも高い場合に適用するものとして、前記温度差ΔＴが同じであるときの目標開閉比率における開時間の割合が外気温度が高いほど小になるように、前記基準テーブルを変更した調整テーブルを作成し、その作成した調整テーブルに基づいて目標開閉比率を求める構成としてもよい。
【００５５】
又、上記したような前記暖房対象空間内の温度と目標設定温度との温度差ΔＴの設定範囲ごとに開閉比率を定めた基準テーブルを用いる構成に代えて、例えば、前記温度差ΔＴごとに開閉比率が定められている線形の比例関係や非線形の相関関係等を用いて、目標開閉比率を求めることも可能であり、温度差ΔＴに応じて目標開閉比率を求める構成としてもよい。
【００５６】
（４）上記実施形態では、前記急速昇温制御を行った後に前記開閉作動制御を実行する構成として、前記急速昇温制御において、前記外気温度が高いほど前記急速昇温用の設定時間を短い時間に設定する構成とし、前記開閉作動制御において、前記温度差が同じであるときの前記目標開閉比率における前記開時間の割合が前記外気温度検出手段にて検出される前記外気温度が高いほど小になるように前記目標開閉比率を求める構成としたが、このような構成に代えて、次のように構成するものでもよい。
【００５７】
前記急速昇温制御においては、前記外気温度にかかわらず前記急速昇温用の設定時間及び熱媒温度を一定に維持し、前記開閉作動制御においては、前記温度差が同じであるときの前記目標開閉比率における開時間の割合が前記外気温度検出手段にて検出される外気温度が高いほど小になるように前記目標開閉比率を求める構成としてもよい。
【００５８】
又、次のように構成するものでもよい。
前記急速昇温制御において、外気温度が高いほど前記急速昇温用の設定時間を短い時間に設定するか、又は、外気温度が高いほど熱媒温度を低い温度にする構成とし、前記開閉作動制御においては前記目標開閉比率を外気温度に応じて変化させない構成としてもよい。
【００５９】
（５）上記実施形態では、前記急速昇温制御においては、熱媒の温度を定常運転用の温度よりも高い温度にして熱媒を循環供給させる構成としたが、このような構成に代えて、前記急速昇温制御として、熱媒の温度を定常運転用の温度と同じ温度にして熱媒を供給する構成としてもよい。
又、このような急速昇温制御を行わない構成として実施することも可能である。すなわち、暖房運転を開始したときは直ちに前記開閉作動制御を実行する構成である。
【００６０】
（６）上記実施形態では、前記外気温度検出手段にて検出される外気温度Ｔｇが凍結予防用の設定温度以下になると、前記制御手段が前記凍結予防運転制御を実行する構成としたが、このように凍結防止用の温度検出手段と外気温度検出手段とを兼用するものに限らず、別の検出手段を備えるものもよく、上記したような凍結予防運転制御を実行しない構成としてもよい。
【００６１】
（７）上記実施形態では、暖房端末を１つ備え、開閉手段も１つ設けるものを例示したが、暖房端末を複数備えて、それら複数の暖房端末の夫々に対応して開閉手段を設けるものでもよく、暖房端末の数については適宜変更が可能である。
ちなみに、暖房端末並びに開閉手段を複数備えるものでは、暖房対象空間内の温度と目標設定温度との温度差が同じであるときの目標開閉比率における開作動の割合が外気温度に応じて異なる値となるように、目標開閉比率を求める対象の開閉手段を、複数の開閉手段の全てのものを対象として実施したり、あるいは、一部の開閉手段だけを対象として実施することが可能である。
【００６２】
（８）上記実施形態では、本発明にかかる熱媒供給式の暖房設備を、熱源機からひとつの暖房端末に対して熱媒を供給する構成を例示したが、例えば、低温用の暖房端末に低温熱媒を供給するとともに、高温用の暖房端末に高温熱媒を供給する２温度式の熱源機を備えた熱媒供給式の暖房設備等、その他各種の熱媒供給式の暖房設備に適応することが可能である。
【００６３】
（９）上記実施形態では、熱源手段として、バーナの燃焼により加熱した熱媒を暖房端末に供給するものを例示したが、例えば、電気ヒータにより加熱した熱媒を暖房端末に供給するもの等、その他各種の熱源手段が適応可能である。
【図面の簡単な説明】
【００６４】
【図１】熱媒供給システムの全体概略図
【図２】温度差の設定範囲ごとの開閉比率を定めた基準テーブル
【図３】基準テーブルを外気温度に応じて調整した調整テーブル
【図４】基準テーブルを外気温度に応じて調整した調整テーブル
【図５】制御部の制御動作を示すフローチャート
【図６】快適温度領域と温度変化との関係を示す図
【図７】従来における快適温度領域と温度変化との関係を示す図
【符号の説明】
【００６５】
１          熱媒循環路
２          暖房端末
３          熱源手段
４          開閉手段
５          制御手段
２１        外気温度検出手段
【図１】
2005282899.tif 000003
【図２】
2005282899.tif 000004
【図３】
2005282899.tif 000005
【図４】
2005282899.tif 000006
【図５】
2005282899.tif 000007
【図６】
2005282899.tif 000008
【図７】
2005282899.tif 000009